(57)【要約】【課題】送風性能に優れた空気調和機を提供する。【解決手段】空気清浄機１のシロッコファン２０は、ファンロータ２１と、スクロールケーシング２２と、を有する。スクロールケーシング２２は、スクロール流路ＦＰ１を形成するスクロール湾曲部２６を含む。スクロールケーシング２２の外面には、スクロール流路ＦＰ１に対してファンロータ２１の回転軸方向へずれた位置において、溝部２２４が形成される。背面ケーシング１２は、スクロールケーシング２２の第３壁部２２２ｃの外面に対向する内面を、その左側部１２１ａに有する。制御ユニット６０は、ファンロータ２１の駆動を制御する。電源ケーブル６１は、制御ユニット６０に電源を供給する。電源ケーブル６１は、第３壁部２２２ｃおよび第４壁部２２２ｄの外面と背面ケーシング１２の内面との間および溝部２２４を通過して制御ユニット６０まで延びる。【選択図】図８
2014109389.tif 000002
【特許請求の範囲】
【請求項１】
ファンロータ（２１）と、前記ファンロータの外周側に配置されスクロール流路（ＦＰ１）を形成するスクロール湾曲部（２６）を含むファンケーシング（２２）と、を有するシロッコファン（２０）と、
前記スクロール湾曲部の外面に対向する内面を有する外殻部材（１２）と、
前記ファンロータの駆動を制御する制御部（６０）と、
前記制御部に電源または信号を供給するケーブル（６１）と、
を備え、
前記ファンケーシングの外面には、前記スクロール流路に対して前記ファンロータの回転軸方向へずれた位置において、凹部（２２４）が形成され、
前記ケーブルは、前記スクロール湾曲部の外面と前記外殻部材の内面との間および前記凹部を通過して前記制御部まで延びる、
空気調和機。
【請求項２】
前記スクロール湾曲部の外面および前記外殻部材の内面は、鉛直方向に沿って延びており、
前記凹部は、鉛直方向に沿って延びるように形成される、
請求項１に記載の空気調和機。
【請求項３】
前記凹部は、前記スクロール湾曲部の外面の、前記外殻部材の内面との距離が最も近い部分（ＣＰ）の近傍に形成される、
請求項１または２に記載の空気調和機。
【請求項４】
前記スクロール湾曲部の外面と前記外殻部材の内面との最短距離（ｓｄ）は、前記ケーブルの幅（ｗ１）および厚み（ｔ１）よりも短い、
請求項１から３のいずれか１項に記載の空気調和機。
【請求項５】
前記制御部は、前記スクロール湾曲部の高さ位置よりも上方に配設され、
前記ケーブルは、鉛直方向に沿って延びるように設置される、
請求項１から４のいずれか１項に記載の空気調和機。
【請求項６】
前記ファンケーシングは、その外面に、前記ケーブルを支持する支持リブ（２７）を有する、
請求項１から５のいずれか１項に記載の空気調和機。
【発明の詳細な説明】
【技術分野】
【０００１】
本発明は、空気調和機に関する。
【背景技術】
【０００２】
従来、ファンロータと、ファンロータを収容するファンケーシングと、を有するシロッコファンを備えた空気調和機が知られている。例えば、特許文献１（実開昭６３−７３１５１号公報）記載の空気調和機（空気清浄機）では、その内部にスクロール流路が形成されるファンケーシングを有するシロッコファンが採用されている。
【０００３】
ところで、シロッコファンを用いた空気調和機においては、送風性能などの低下を抑制するために、ファンを駆動させるモータや制御部などに電源や信号を供給するケーブルの設置方法に関して工夫を要求される場合がある。例えば、特許文献１では、ファンケーシングの背面側に溝部を形成して、モータに電源を供給するためのケーブルを当該溝部に嵌合させるようにして設置するアイデアが開示されている。
【発明の概要】
【発明が解決しようとする課題】
【０００４】
ここで、シロッコファンは、ファンケーシング内のスクロール流路が大きいほど、より空気の流量が増加し、送風性能が向上しやすい。そのため、スクロール流路をできるだけ大きく形成するために、空気調和機本体のケーシングの内面と、ファンケーシングの外面と、の距離をできるだけ小さくすることが望まれる。しかし、特許文献１に記載される方法では、空気調和機本体のケーシングとファンケーシングとの間においてケーブルが設置されることになるため、空気調和機本体のケーシングの内面と、ファンケーシングの外面と、の距離を小さくしにくい。
【０００５】
そこで本発明の課題は、送風性能に優れた空気調和機を提供することである。
【課題を解決するための手段】
【０００６】
本発明の第１観点に係る空気調和機は、シロッコファンと、外殻部材と、制御部と、ケーブルと、を備える。シロッコファンは、ファンロータと、ファンロータの外周側に配置されるファンケーシングと、を有する。ファンケーシングは、スクロール流路を形成するスクロール湾曲部を含む。ファンケーシングの外面には、スクロール流路に対してファンロータの回転軸方向へずれた位置において、凹部が形成される。外殻部材は、スクロール湾曲部の外面に対向する内面を有する。制御部は、ファンロータの駆動を制御する。ケーブルは、制御部に電源または信号を供給する。ケーブルは、スクロール湾曲部の外面と外殻部材の内面との間および凹部を通過して制御部まで延びる。
【０００７】
本発明の第１観点に係る空気調和機では、ファンケーシングの外面の、スクロール流路に対してファンロータの回転軸方向へずれた位置に、ケーブルが通過する凹部が形成される。これにより、外殻部材の内面と、スクロール湾曲部の外面と、を接近させることが可能となり、スクロール流路を大きく形成できる。したがって、送風性能が向上される。
【０００８】
本発明の第２観点に係る空気調和機は、第１観点に係る空気調和機であって、スクロール湾曲部の外面および外殻部材の内面は、鉛直方向に沿って延びている。凹部は、鉛直方向に沿って延びるように形成される。
【０００９】
本発明の第２観点に係る空気調和機では、凹部は、鉛直方向に沿って延びるように形成される。これにより、外殻部材の内面と、スクロール湾曲部の外面と、をさらに接近させることが可能となり、スクロール流路をさらに大きく形成できる。
【００１０】
本発明の第３観点に係る空気調和機は、第１観点または第２観点に係る空気調和機であって、凹部は、スクロール湾曲部の外面の、外殻部材の内面との距離が最も近い部分の近傍に形成される。
【００１１】
本発明の第３観点に係る空気調和機では、凹部は、スクロール湾曲部の外面の、外殻部材の内面との距離が最も近い部分の近傍に形成される。これにより、外殻部材の内面と、スクロール湾曲部の外面と、をさらに接近させることが可能となり、スクロール流路をさらに大きく形成できるようになる。
【００１２】
本発明の第４観点に係る空気調和機は、第１観点から第３観点のいずれかに係る空気調和機であって、スクロール湾曲部の外面と外殻部材の内面との最短距離は、ケーブルの幅および厚みよりも短い。
【００１３】
本発明の第４観点に係る空気調和機では、スクロール湾曲部の外面と外殻部材の内面との最短距離は、ケーブルの幅および厚みよりも短い。これにより、スクロール流路をさらに大きく形成できる。
【００１４】
本発明の第５観点に係る空気調和機は、第１観点から第４観点のいずれかに係る空気調和機であって、制御部は、スクロール湾曲部の高さ位置よりも上方に配設される。ケーブルは、鉛直方向に沿って延びるように設置される。
【００１５】
本発明の第５観点に係る空気調和機では、制御部は、スクロール湾曲部の高さ位置よりも上方に配設される。ケーブルは、鉛直方向に沿って延びるように設置される。これにより、ケーブルがスクロール湾曲部の外面と外殻部材の内面との間において鉛直方向に沿って延びるように設置される場合であっても、外殻部材の内面と、スクロール湾曲部の外面と、を接近させることが可能となり、スクロール流路を大きく形成できる。
【００１６】
本発明の第６観点に係る空気調和機は、第１観点から第５観点のいずれかに係る空気調和機であって、ファンケーシングは、その外面に、ケーブルを支持する支持リブを有する。
【００１７】
本発明の第６観点に係る空気調和機では、ファンケーシングは、その外面に、ケーブルを支持する支持リブを有する。これにより、安定的にケーブルが保持される。
【発明の効果】
【００１８】
本発明の第１観点から第６観点に係る空気調和機では、スクロール流路を大きく形成でき、送風性能が向上される。
【００１９】
本発明の第２観点から第４観点に係る空気調和機では、スクロール流路をさらに大きく形成できる。
【００２０】
本発明の第５観点に係る空気調和機では、ケーブルがスクロール湾曲部の外面と外殻部材の内面との間において鉛直方向に沿って延びるように設置される場合であっても、スクロール流路を大きく形成できる。
【００２１】
本発明の第６観点に係る空気調和機では、安定的にケーブルが保持される。
【図面の簡単な説明】
【００２２】
【図１】本発明の一実施形態に係る空気清浄機の正面斜視図。
【図２】本発明の一実施形態に係る空気清浄機の背面斜視図。
【図３】本発明の一実施形態に係る空気清浄機を運転した状態における空気の流れの概念図。
【図４】シロッコファンの背面図（境界壁部については図示省略）。
【図５】背面ケーシング、側方吸込口形成部、天面部、前面パネル、および操作パネルを取り外した状態の空気清浄機の背面図（背面部については図示省略）。
【図６】図５の左側面図。
【図７】前面パネルおよび放電ユニットを取り外した状態の本発明の一実施形態に係る空気清浄機の分解図。
【図８】背面視における図２のVIII-VIII線断面図（側方吸込口形成部については図示省略）。
【図９】図５のIX-IX線断面図。
【図１０】図５のX-X線断面図。
【図１１】図５のXI-XI線断面図。
【図１２】図５のXII-XII線断面図。
【図１３】図８のＡ部分の拡大図。
【発明を実施するための形態】
【００２３】
以下、図面を参照しながら、本発明の実施形態について説明する。なお、以下の実施形態は、本発明の具体例であって、本発明の技術的範囲を限定するものではなく、発明の要旨を逸脱しない範囲で変更可能である。また、以下の説明において、上、下、左、右、正面（前）、背面（後）といった方向を示す語句を用いているが、これらの方向は、特にことわりのない限り、図１、図２、図４および図６から図８に示す方向を意味する。
【００２４】
（１）空気清浄機１
本発明の一実施形態に係る空気調和機は、空気清浄機１である。図１は、空気清浄機１の正面斜視図である。図２は、空気清浄機１の背面斜視図である。
【００２５】
空気清浄機１は、床置きタイプで、室内の床などに設置される。空気清浄機１は、室内空間の空気を取込んで塵埃などを除去して室内空間に排出することにより、室内の空気を清浄する。空気清浄機１には、室内の空気を内部に取り込む下吸込口１０１、左側方吸込口１０２ａおよび右側方吸込口１０２ｂが形成されており、清浄化した空気を吹出す吹出口１０３が形成されている。
【００２６】
下吸込口１０１は、正面部分の下端近傍において左右方向に延びるように形成されている。左側方吸込口１０２ａは、左側面部分において上下方向に延びるように形成されている。右側方吸込口１０２ｂは、右側面部分において上下方向に延びるように形成されている。吹出口１０３は、天面の背面側部分において左右方向に長い略長方形状に形成されている。なお、説明の便宜上、以下の説明においては、左側方吸込口１０２ａおよび右側方吸込口１０２ｂを併せて側方吸込口１０２と記載する。
【００２７】
空気清浄機１の外郭は本体ケーシング１０によって構成されている。
【００２８】
（１−１）本体ケーシング１０
本体ケーシング１０は、略直方体状の形状を呈しており、側面視において天面の背面側部分が背面方向に向かって下るように傾斜している。本体ケーシング１０は、主として、底面部１１、背面ケーシング１２、左側方吸込口形成部１３ａ、右側方吸込口形成部１３ｂ、天面部１４および前面パネル１５からなる樹脂製のケーシング部材によって構成されている。
【００２９】
（１−１−１）ケーシング部材
底面部１１は、空気清浄機１の底面部分を構成しており、左右方向に長い略長方形状を呈している。
【００３０】
背面ケーシング１２は、空気清浄機１の背面部分および左右の側面の背面側部分を構成しており、その下端において底面部１１に固定されている。背面ケーシング１２は、平面視において略Ｕ字状を呈しており、その外面は鉛直方向である上下方向に延びており、その内面も同様に鉛直方向である上下方向に延びている。背面ケーシング１２は、主として、後部１２０と、左側部１２１ａと、右側部１２１ｂ（以下、左側部１２１ａと右側部１２１ｂを併せて側部１２１と記載）と、から構成される。後部１２０は、縦長の略長方形状を呈している。側部１２１は、縦に細長い形状を有しており、後部１２０の左右の端部から正面方向に延びている。側部１２１には、空気清浄機１の持ち運びを行う際に利用される把手部１２ａが形成されている。
【００３１】
右側方吸込口形成部１３ｂは、空気清浄機１の右側面の正面側部分を構成している。左側方吸込口形成部１３ａ（以下、左側方吸込口形成部１３ａおよび右側方吸込口形成部１３ｂを併せて側方吸込口形成部１３と記載）は、空気清浄機１の左側面の正面側部分を構成している。側方吸込口形成部１３は、側面視において縦長の略長方形状を呈しており、その下端において底面部１１と固定されている。側方吸込口形成部１３には、上下に長い開口が形成されており、当該開口が側方吸込口１０２として機能している。
【００３２】
天面部１４は、空気清浄機１の天面部分を構成しており、背面ケーシング１２および側方吸込口形成部１３に固定されている。天面部１４の正面側部分は、左右方向に水平に延びており、当該水平部分には、ユーザが指示を入力する操作パネル１４０が配設されている。ユーザは操作パネル１４０に設けられたボタン等を押下することにより、空気清浄機１の運転状態（運転開始、運転停止、風量調整など）を切り換えることができる。天面部１４の背面側部分は、背面方向に下り勾配がつけられた傾斜面となっている。この傾斜面には大きな開口が形成されており、当該開口から後述するシロッコファン２０の排出口２３が露出して空気清浄機１の吹出口１０３として機能している。
【００３３】
前面パネル１５は、空気清浄機１の正面部分を構成している。前面パネル１５は側方吸込口形成部１３および天面部１４に固定され、図７に示すように適宜取り外しが可能である。前面パネル１５の下端と底面部１１との間には、隙間が形成されており、この隙間が下吸込口１０１として機能している。
【００３４】
なお、前面パネル１５と底面部１１との間にこのような隙間を形成せずに、前面パネル１５に開口を形成して当該開口を下吸込口１０１としてもよい。また、前面パネル１５は、側方吸込口形成部１３と一体成形されてもよい。また、背面ケーシング１２と、側方吸込口形成部１３または天面部１４などを一体に成形してもよい。
【００３５】
以上のケーシング部材によって構成される本体ケーシング１０の内部には、シロッコファン２０、フィルタユニット３０、ストリーマ放電ユニット４０、放電ユニット５０および制御ユニット６０が収容されている。以下、空気清浄機１を運転した場合の空気の流れおよび各部の詳細について説明する。
【００３６】
（１−２）空気の流れ
図３は、空気清浄機１の運転状態における空気の流れの概念図である。シロッコファン２０が駆動すると、下吸込口１０１及び側方吸込口１０２から吹出口１０３に至る空気の流れが発生する。下吸込口１０１及び側方吸込口１０２から吸込まれた室内空気は、フィルタユニット３０で塵埃や臭い成分などが取り除かれ、シロッコファン２０から清浄な空気が吹き出される。
【００３７】
（１−３）シロッコファン２０
以下、図３から図６を参照してシロッコファン２０について説明する。図４は、シロッコファン２０の背面図である。図５は、前面パネル１５、側方吸込口形成部１３、天面部１４、背面ケーシング１２および操作パネル１４０を取り外した状態における空気清浄機１の背面図である（背面部２２１については図示省略）。図６は、図５の左側面図である。
【００３８】
シロッコファン２０は、取込口２２０ａを介してシロッコファン２０の内部に取り込んで、排出口２３を介して外部に排出する。具体的には、ファンロータ２１が回転することにより、下部に形成される取込口２２０ａから外部の空気を吸引してスクロールケーシング２２の内部に取り込み、スクロール流路ＦＰ１及び排出流路ＦＰ２へと送出して、その上端近傍に配設される排出口２３から吹き出す。シロッコファン２０は、主として、ファンロータ２１と、スクロールケーシング２２と、から構成されている。
【００３９】
（１−３−１）ファンロータ２１
ファンロータ２１は、円周方向に配設された複数のブレード２１０と、ブレード２１０の前側端部に設けられた環状の保持リング２１１と、保持リング２１１と対向する位置に設けられた円盤状の背面プレート２１２とを有している。
【００４０】
ファンロータ２１は、背面プレート２１２の中心に形成された連結孔２１２ａにおいて、ファンモータ２１３の回転軸２１３ａと連結されている。ファンロータ２１は、ファンモータ２１３の駆動により回転して、正面方向から空気を吸引し、ブレード２１０間を通過させて径方向外側に放射状に吹き出して、後述するスクロール流路ＦＰ１から排出流路ＦＰ２へと圧送する。
【００４１】
ファンロータ２１は、スクロールケーシング２２に収容されている。
【００４２】
（１−３−２）スクロールケーシング２２
スクロールケーシング２２は、樹脂製の正面部２２０、背面部２２１および壁部２２２から構成される。正面部２２０は、台形と円形を組み合わせたような形状を呈してスクロールケーシング２２の正面部分を構成している。正面部２２０には、開口が形成され、当該開口が空気の取込口２２０ａとして機能している（図８、図１０および図１１参照）。また、図５および図６に示すように、正面部２２０の正面側の左右には、境界壁部２２０ｂが設けられている。これは、後述する鉛直流路形成部材４１（図３および図８参照）との境界を形成するための壁である。
【００４３】
背面部２２１は、スクロールケーシング２２の背面部分を構成している。壁部２２２は、正面部２２０と背面部２２１との間で延び、両者を繋いでいる。
【００４４】
スクロールケーシング２２の上端部分は開口となっており、空気を排出する排出口２３として機能している。また、正面部２２０の上端近傍であって排出口２３の下方には、開口が形成されており、後述するストリーマ放電ユニット４０への導入口２４として機能している。なお、取込口２２０ａ、排出口２３および導入口２４を除いてスクロールケーシング２２の内部は密閉されている。
【００４５】
以下、スクロールケーシング２２を背面から見た状態を上部２５と、スクロール湾曲部２６と、に分けて説明する。なお、上部２５およびスクロール湾曲部２６は、一体成形されている。
【００４６】
スクロールケーシング２２の上部２５は、略台形状を呈しており、その上端部分には排出口２３が横長に形成されている。排出口２３には、落下物などの侵入を防止する格子部材２３ａが配置されている。また、上部２５の下端近傍には、内側に突出する舌部２５ａが形成されている。この舌部２５ａの排出口２３とは反対側の端部と、スクロール湾曲部２６の始点と、が繋がっている。
【００４７】
なお、以下の説明においては、説明の便宜上、壁部２２２のうち、排出口２３の右端部から、舌部２５ａに至るまでの部分を、第１壁部２２２ａとする。また、舌部２５ａから、スクロールケーシング２２の下端に至るまでの部分を、第２壁部２２２ｂとする。また、第２壁部２２２ｂの終端から、舌部２５ａの中心点より水平線を引いた場合に直交する点に至るまでの部分を第３壁部２２２ｃとする。また、第３壁部２２２ｃの終端から、排出口２３の左端部に至るまでの部分を、第４壁部２２２ｄとする。図４に示すように、第１壁部２２２ａ、第２壁部２２２ｂ、第３壁部２２２ｃおよび第４壁部２２２ｄは、鉛直方向である上下方向に長く延びている。
【００４８】
スクロール湾曲部２６は、丸みを帯びた形状をしており、舌部２５ａの下端から左周りにいくほど曲率半径が大きくなるように形成されている。そして、スクロール湾曲部２６の正面部分には、保持リング２１１と略同面積の開口である取込口２２０ａが形成され、その取込口２２０ａからファンロータ２１が露出するように収容されている。また、ファンロータ２１の背面側には、ファンモータ２１３が収容されている。
【００４９】
背面部２２１および壁部２２２の外面は、背面ケーシング１２の内面と、近接している。とくに、図８に示すように、第３壁部２２２ｃの外面と左側部１２１ａの内面とが近接しており、その最短距離ｓｄ（図１３参照）は、５．０ｍｍとなっている。なお、第３壁部２２２ｃの外面のうち、左側部１２１ａの内面と最も近接する部分を最近接部ＣＰとする（図１１から図１３を参照）。
【００５０】
第３壁部２２２ｃの正面側の境界壁部２２０ｂには、後述する電源ケーブル６１を通過させる溝部２２４が形成されている。また、第３壁部２２２ｃおよび第４壁部２２２ｄにかけては、電源ケーブル６１を支持する支持リブ２７が設けられている。支持リブ２７および溝部２２４の詳細については、（２）溝部２２４および支持リブ２７の詳細において説明する。
【００５１】
以上のように構成されるスクロールケーシング２２の内部空間には、空気が流れるスクロール流路ＦＰ１および排出流路ＦＰ２が形成されている。具体的には、スクロール流路ＦＰ１は、スクロール湾曲部２６においてファンロータ２１の外周面の外側に形成され、舌部２５ａから離れるにしたがって流路面積が大きくなるように形成されている。シロッコファン２０においては、このようにスクロール流路の面積が次第に大きくなるように形成することにより、より多くの風が送られることとなり、送風性能が向上するようになっている。
【００５２】
排出流路ＦＰ２は、スクロール流路ＦＰ１の下流終端から排出口２３に至るまでの空間において形成され、スクロール流路と連通して排出口２３まで延びている。なお、スクロール流路ＦＰ１及び排出流路ＦＰ２の正面側は正面部２２０によって塞がれ、背面側は背面部２２１によって塞がれている。また、その正面側と背面側の間は、壁部２２２によって塞がれている。すなわち、スクロール流路ＦＰ１および排出流路ＦＰ２へと導かれた空気は、排出口２３方向へと送られるようになっている。
【００５３】
（１−４）フィルタユニット３０
図３に示されているように、フィルタユニット３０は、シロッコファン２０の空気流上流側において配設されている。フィルタユニット３０は、プレフィルタ３１と、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタと、脱臭エレメント３３とで構成されている。
【００５４】
まず、プレフィルタ３１によって大きな塵埃が取り除かれる。次に、ＨＥＰＡフィルタ３２によってさらに微細な塵埃が取り除かれる。さらに、ＨＥＰＡフィルタ３２を通過した空気は、活性炭などを含む脱臭エレメント３３によってホルムアルデヒドや臭い成分などが吸着され、或いは分解される。
【００５５】
（１−５）ストリーマ放電ユニット４０
ストリーマ放電ユニット４０は、後述する制御ユニット６０の下方に配設されている。ストリーマ放電ユニット４０は、正極であるタングステン製の針状の電極と、当該針状電極の近傍に位置し、当該電極に対向する板状の電極（対向電極）を有する（図示省略）。針状電極に高電圧を印加することによりプラズマ放電の一種であるストリーマ放電が発生する。当該放電発生の際に酸化分解力の高い活性種が生成される。
【００５６】
シロッコファン２０の排出流路ＦＰ２を流れる空気の一部は、導入口２４（図４を参照）を介して図３に示す支流１００ａとしてストリーマ放電ユニット４０に送られる。この支流１００ａがストリーマ放電ユニット４０を通過するときに、ストリーマ放電によって活性種が供給される。
【００５７】
生成された活性種を含む空気は、複数の分流１００ｂとなって、図３および図８に示すような２つの鉛直流路形成部材４１の内部へ流入する。鉛直流路形成部材４１は、鉛直方向に沿って延びる筒状の部材である。各鉛直流路形成部材４１は、シロッコファン２０の正面側の左右端部近傍において、側方吸込口１０２が延びる方向に沿うようにそれぞれ配設されている。鉛直流路形成部材４１には、放出口４１ａが複数形成されており、当該放出口４１ａから複数の分流１００ｂおよび活性種がプレフィルタ３１の前に吹き出される。
【００５８】
複数の分流１００ｂは、プレフィルタ３１から吸い込まれる室内空気に合流してＨＥＰＡフィルタ３２及び脱臭エレメント３３にまで到達する。そして脱臭エレメント３３にまで達する活性種によって消臭効果が高められる。
【００５９】
（１−６）放電ユニット５０
図７は、空気清浄機１から前面パネル１５などを取り外した分解図である。図７に示されるように、放電ユニット５０は、横よりも縦が長い筒状の形状をしており、左側方吸込口１０２ａおよび右側方吸込口１０２ｂの近傍に１つずつ、着脱可能に設置されている。側方吸込口１０２から吸い込まれる空気は、放電ユニット５０を通るように構成されており、放電ユニット５０は、吸い込まれた空気の中に浮遊している比較的小さな塵埃を帯電させる。具体的には、側方吸込口１０２から吸い込まれた空気が、格子状になった部分から放電ユニット５０内に入り込んで、放電ユニット５０内に配設された放電部（図示省略）を通過することにより、空気中の塵埃を帯電させている。
【００６０】
（１−７）制御ユニット６０
制御ユニット６０は、スクロール湾曲部２６の高さ位置より上方であって、操作パネル１４０の略直下に位置している。制御ユニット６０は、図５に示すように複数の電装品から構成されており、ファンモータ２１３などの各部の動作を制御している。具体的には、制御ユニット６０は、操作パネル１４０を介して入力されるユーザの指令に基づいて、空気清浄機１の制御を行う。例えば、ユーザが操作パネル１４０を介して空気清浄運転開始を行う旨の制御指令を入力した場合、制御ユニット６０は、ファンモータ２１３の駆動や、ストリーマ放電ユニット４０および放電ユニット５０への電圧の印加などを行う。
【００６１】
制御ユニット６０は、底面部１１に配設された電源装置（図示省略）から、シロッコファン２０の第３壁部２２２ｃおよび第４壁部２２２ｄに沿って上下方向に延びる電源ケーブル６１と接続されて、電源の供給を受けている。なお、本実施形態における電源ケーブル６１は、幅ｗ１が８．０ｍｍで、その厚みｔ１が５．５ｍｍのものが採用されている（図１３参照）。
【００６２】
（２）溝部２２４および支持リブ２７の詳細
以下、図４から図６および図８から図１３を参照して、溝部２２４および支持リブ２７について説明する。図８は、背面視における図２のVIII-VIII線断面図（側方吸込口形成部１３については図示省略）である。図９は、図５のIX-IX線断面図である。図１０は、図５のX-X線断面図である。図１１は、図５のXI-XI線断面図である。図１２は、図５のXII-XII線断面図である。図１３は、図８のＡ部分の拡大図である。
【００６３】
（２−１）溝部２２４
上述したようにスクロールケーシング２２の第３壁部２２２ｃには、溝部２２４が形成されている。より詳細には、溝部２２４は、第３壁部２２２ｃのスクロール流路ＦＰ１に対してファンロータ２１の回転軸方向（正面方向）へずれた位置において、境界壁部２２０ｂを切り欠くことにより、形成されている。
【００６４】
この溝部２２４は、電源ケーブル６１を通過させるために形成される。すなわち、上述のように、シロッコファン２０においては、スクロール流路の面積が次第に大きくなるように形成することにより、より多くの風が送られることとなり、送風性能が向上する。このため、スクロール流路をできるだけ大きく形成するために、スクロールケーシング２２の壁部２２２の外面と、背面ケーシング１２の内面とを近接させ、そのぶんスクロール湾曲部２６を大きくすることが望ましい。しかし、制御ユニット６０に電源を供給するために、電源ケーブル６１をスクロールケーシング２２の壁部２２２と、背面ケーシング１２の内面と、の間を通過させる必要がある場合には、当該電源ケーブル６１の幅ｗ１および厚みｔ１よりも大きい空間を両者の間に確保しなければならない。このように相反する両要請を解決すべく、スクロールケーシング２２の第３壁部２２２ｃに溝部２２４が形成されている。
【００６５】
具体的には、本実施形態における電源ケーブル６１は、上述のように、その幅ｗ１が８．０ｍｍで、その厚みｔ１が５．５ｍｍであるため、電源ケーブル６１が通過できる寸法の溝部２２４が形成されており、その幅ｗ２は１０．０ｍｍで、その奥行きｄ１は６．０ｍｍとなっている。
【００６６】
このように溝部２２４が形成されて、溝部２２４を電源ケーブル６１が通過することにより、スクロールケーシング２２の第３壁部２２２ｃの外面と、背面ケーシング１２の左側部１２１ａの内面と、を近接させることができ、最近接部ＣＰと、左側部１２１ａの内面と、の間の最短距離ｓｄは５．０ｍｍとなっている。すなわち、当該最短距離ｓｄが、電源ケーブル６１の幅ｗ１および厚みｔ１よりも短くなる程度に、スクロールケーシング２２の第３壁部２２２ｃの外面と、背面ケーシング１２の左側部１２１ａの内面と、は近接している。この結果、スクロール湾曲部２６を従来よりも大きく形成でき、シロッコファン２０の送風性能が向上している。
【００６７】
（２−２）支持リブ２７
支持リブ２７は、第３壁部２２２ｃおよび第４壁部２２２ｄに複数設けられている。支持リブ２７は、電源ケーブル６１を係止して支持するために設けられており、各支持リブ２７には、電源ケーブル６１が通過して引っ掛かる通孔や、電源ケーブル６１が引っ掛かって挟持される程度の挟持空間が形成されている。
【００６８】
上述したように、本実施形態において電源ケーブル６１は、電源装置から、スクロールケーシング２２の壁部２２２と背面ケーシング１２の内面との間を通過して、制御ユニット６０まで延びている。より詳細には、電源ケーブル６１は、第３壁部２２２ｃおよび第４壁部２２２ｄの外面と左側部１２１ａの内面との間、および溝部２２４を通過して制御ユニット６０まで延びている。このように電源ケーブル６１が上下方向に沿って延びる場合、制御ユニット６０に至るまでに支持するものがなければ、電源ケーブル６１の設置状態が不安定であり、保安上好ましくない。
【００６９】
本実施形態においては、上述のような態様で支持リブ２７が設けられ、電源ケーブル６１を支持していることにより、電源ケーブル６１が安定的に設置されるようになっている。
【００７０】
（３）特徴
（３−１）
上記実施形態では、スクロールケーシング２２の、スクロール流路ＦＰ１に対してファンロータ２１の回転軸方向（正面方向）へずれた位置に、電源ケーブル６１が通過する溝部２２４が形成されている。これにより、背面ケーシング１２の左側部１２１ａの内面と、スクロールケーシング２２の第３壁部２２２ｃの外面と、を接近させることを可能にしている。このため、スクロール流路を大きく形成できるようになっており、その結果、送風性能が向上されている。
【００７１】
（３−２）
上記実施形態では、溝部２２４は、鉛直方向である上下方向に沿って延びるように形成されている。これにより、背面ケーシング１２の左側部１２１ａの内面と、スクロールケーシング２２の第３壁部２２２ｃの外面と、をさらに接近させることを可能にしている。このため、スクロール流路をさらに大きく形成できるようになっている。
【００７２】
（３−３）
上記実施形態では、溝部２２４は、スクロール湾曲部２６の第３壁部２２２ｃの外面の、背面ケーシング１２の左側部１２１ａの内面との距離が最も近い部分である最近接部ＣＰの近傍に形成されている。これにより、背面ケーシング１２の左側部１２１ａの内面と、スクロールケーシング２２の第３壁部２２２ｃの外面と、をさらに接近させることを可能にしている。このため、スクロール流路をさらに大きく形成できるようになっている。
【００７３】
（３−４）
上記実施形態では、背面ケーシング１２の左側部１２１ａの内面と、スクロールケーシング２２の第３壁部２２２ｃの外面と、の最短距離ｓｄは、電源ケーブル６１の幅ｗ１および厚みｔ１よりも短い。これにより、スクロール流路ＦＰ１をさらに大きく形成できるようになっている。
【００７４】
（３−５）
上記実施形態では、制御ユニット６０は、スクロール湾曲部２６の高さ位置よりも上方に配設されており、また、電源ケーブル６１は、鉛直方向である上下方向に沿って延びるように設置されている。これにより、電源ケーブル６１が、背面ケーシング１２の左側部１２１ａの内面と、スクロールケーシング２２の第３壁部２２２ｃの外面と、の間において鉛直方向に沿って延びるように設置される場合であっても、背面ケーシング１２の左側部１２１ａの内面と、スクロールケーシング２２の第３壁部２２２ｃの外面と、を接近させることを可能にしており、スクロール流路を大きく形成できるようになっている。
【００７５】
（３−６）
上記実施形態では、スクロールケーシング２２は、第３壁部２２２ｃおよび第４壁部２２２ｄの外面に、電源ケーブル６１を支持する支持リブ２７を有している。これにより、安定的に電源ケーブル６１が保持されるようになっている。
【００７６】
（４）変形例
（４−１）変形例１Ａ
上記実施形態では、空気調和機として空気清浄機１が適用されたが、これに限定されない。例えば、エアコンや加湿器など他の空気調和機であってもよい。
【００７７】
（４−２）変形例１Ｂ
上記実施形態では、シロッコファン２０の正面部２２０に境界壁部２２０ｂが設けられ、境界壁部２２０ｂにおいて溝部２２４が形成されたが、これに限定されない。例えば、境界壁部２２０ｂについて省略して、第３壁部２２２ｃの正面側に、溝部２２４を形成できる程度の大きさ（幅、厚みなど）を有する溝形成部材を配設して、溝部２２４を形成してもよい。また、そのような溝形成部材を、第３壁部２２２ｃの背面側にずれた位置に配設して溝部２２４を形成してもよい。また、第３壁部２２２ｃを切り欠いて溝部２２４を形成してもよい。
【００７８】
（４−３）変形例１Ｃ
上記実施形態では、溝部２２４は、鉛直方向である上下方向に長く形成されたがこれに限定されない。例えば、溝部２２４は、水平方向に長く形成されてもよい。
【００７９】
（４−４）変形例１Ｄ
上記実施形態では、背面ケーシング１２の左側部１２１ａの内面と、スクロールケーシング２２の第３壁部２２２ｃの外面と、の最短距離ｓｄは、５．０ｍｍとなるように構成されたが、最短距離については当該数値に限定されない。すなわち、最短距離ｓｄについては、電源ケーブル６１の幅ｗ１および厚みｔ１に応じて、適宜設計変更が可能である。
【００８０】
（４−５）変形例１Ｅ
上記実施形態では、背面ケーシング１２の左側部１２１ａの内面と、スクロールケーシング２２の第３壁部２２２ｃおよび第４壁部２２２ｄの外面と、の間を通過するように電源ケーブル６１を設置したが、電源ケーブル６１の設置方法についてはこれに限定されない。例えば、背面ケーシング１２の右側部１２１ｂの内面と、スクロールケーシング２２の第１壁部２２２ａおよび第２壁部２２２ｂの外面と、の間を通過するように電源ケーブル６１を設置してもよい。その場合、背面ケーシング１２の右側部１２１ｂの内面と、第２壁部２２２ｂの外面と、の距離を接近させて、当該距離が最も短い部分の近傍において溝部２２４を形成し、当該溝部２２４を電源ケーブル６１が通過するように構成することが好ましく、さらに第１壁部２２２ａおよび第２壁部２２２ｂに支持リブ２７を複数設けることが好ましい。
【００８１】
（４−６）変形例１Ｆ
上記実施形態では、背面ケーシング１２の内面とスクロールケーシング２２の壁部２２２の外面との間、および溝部２２４を通過するケーブルは、制御ユニット６０に電源を供給する電源ケーブル６１であったが、他のいかなるケーブルでもよい。例えば、制御ユニット６０に電気信号を送信するケーブルや、モータ、ストリーマ放電ユニット４０および放電ユニット５０などへ電圧を印加するケーブルであってもよい。
【００８２】
（４−７）変形例１Ｇ
上記実施形態では、支持リブ２７は、第３壁部２２２ｃおよび第４壁部２２２ｄにおいて複数設けられたが、支持リブ２７の個数、配設場所、形状、支持態様などについては、上記実施形態のものに限定されない。例えば、支持リブ２７については１つでもよく、また適宜省略してもよい。また、支持リブ２７の配設場所についても適宜変更が可能である。また、支持リブ２７の形状についても電源ケーブル６１を支持できるものであれば、どのような形状であってもよく、いかなる態様で支持してもよい。
【産業上の利用可能性】
【００８３】
本発明は、空気調和機に利用可能である。
【符号の説明】
【００８４】
１            空気清浄機
１０          本体ケーシング
１２          背面ケーシング
１２０        後部
１２１ａ      左側部
１２１ｂ      右側部
１３          側方吸込口形成部
２０          シロッコファン
２１          ファンロータ
２２          スクロールケーシング
２２０        正面部
２２０ｂ      境界壁部
２２１        背面部
２２２        壁部
２２２ｃ      第３壁部
２２２ｄ      第４壁部
２２４        溝部
２５          上部
２６          スクロール湾曲部
２７          支持リブ
４１          鉛直流路形成部材
６０          制御ユニット
６１          電源ケーブル
ＣＰ          最近接部
ＦＰ１        スクロール流路
ＦＰ２        排出流路
【先行技術文献】
【特許文献】
【００８５】
【特許文献１】実開昭６３−７３１５１号公報
【図１】
2014109389.tif 000003
【図２】
2014109389.tif 000004
【図３】
2014109389.tif 000005
【図４】
2014109389.tif 000006
【図５】
2014109389.tif 000007
【図６】
2014109389.tif 000008
【図７】
2014109389.tif 000009
【図８】
2014109389.tif 000010
【図９】
2014109389.tif 000011
【図１０】
2014109389.tif 000012
【図１１】
2014109389.tif 000013
【図１２】
2014109389.tif 000014
【図１３】
2014109389.tif 000015